(57)【要約】【課題】従来品と比較して更に優れたバックサクション機能を発揮することができ、しかも、シリンダ内の液の容器体内への逆流の虞のない優れたポンプを提案する。【解決手段】ステムD1に対して上方付勢状態で相対上下動可能に装着し、押し下げ時に梃部材D7の作用で吐出口81側付勢状態の開閉弁部材D6を移行させて吐出口81を開口する押下ヘッドD5を備え、ステムD1の下降時にはステムD1に設けた吐出弁孔41を開放し、ステムの上昇時には閉塞する環状ピストンD4を備え、ステムに対する押下ヘッドの押下効力がステム自体の押下効力より小である如く構成し、下端に一体に設けた圧接弁体32により吸込み弁33を構成し、上方に起立した棒部36をステムD1の下端開口よりステムD1内下部に摺動可能に突出し、ステムD1の上昇時にステムD1内の容積を増大し、下降時に減少する吸込み弁部材Ｃを設けた。【選択図】図１
2010172860.tif 000002
【特許請求の範囲】
【請求項１】
容器体100 内に垂下して装着され、底部に吸込み弁33を備えたシリンダＢと、シリンダＢに対して上方付勢状態で押し込み可能に装着した作動部材Ｄとを備え、作動部材Ｄは、上方付勢状態で押し込み可能に設けたステムD1に対して上方付勢状態で相対上下動可能に装着し、且つ、押し下げ時に梃部材D7の作用で吐出口81側付勢状態の開閉弁部材D6を移行させて吐出口81を開口する押下ヘッドD5と、ステムD1に対して相対上下動が可能にステムD1外周に装着され、ステムD1の下降時にはステムD1に設けた吐出弁孔41を開放し、ステムD1の上昇時には閉塞する環状ピストンD4とを備えてなり、ステムに対する押下ヘッドの押下効力がステム自体の押下効力より小である如く構成し、下端に一体に設けた圧接弁体32によりシリンダＢ下端の吸込み弁孔22を閉塞する吸込み弁33を構成するとともに、上方に起立した棒部36をステムD1の下端開口よりステムD1内下部に摺動可能に突出し、ステムD1の上昇時にステムD1内の容積を増大し、ステムD1の下降時にステムD1内の容積を減少する吸込み弁部材Ｃを設けたことを特徴とするポンプ。
【請求項２】
作動部材Ｄを容器体100 に装着する装着キャップＡに案内筒12を起立し、縦方向の案内凹溝13及び案内凹溝13上端から横方向に延設した係止用凹溝14とを案内筒12に凹設し、押下ヘッドD5から突設した突部82を案内凹溝13に嵌合することで上下動が可能に、係止横溝14に嵌合することで押下を不能に構成した請求項１記載のポンプ。
【発明の詳細な説明】
【技術分野】
【０００１】
本発明はポンプに関し、詳しくは、バックサクション機構を備えて液切れの良いポンプで、その機能を更に改良したポンプに関する。
【背景技術】
【０００２】
本出願人は液切れの良いポンプの押下げヘッドに関して提案している。（例えば、特許文献１参照）
【０００３】
上記特許文献１に記載されたポンプの押下ヘッドは、上方付勢状態で押込み可能にステムを起立したポンプに装着する押下ヘッドであって、ステム上端部に嵌着させた装着筒を頂板下面より垂設するとともに、ステム内と連通する摺動筒を頂板上方へ立設した装着筒部材と、摺動筒外周に摺動下降可能に嵌合させたシリンダ上方に、先端に吐出口を開口した弁室を備えるとともに、装着筒部材に対して押し下げ可能に設けた本体と、弁室内周に後部外周を摺動可能に嵌合させるとともに、前方付勢状態で吐出口を閉塞し、且つ、シリンダ内と連通する連絡口より吐出口に至る流路を画成してなる弁部材と、弁部材後端部に上端を連係させるとともに、下端部を上記頂板上面に当接係止させ、且つ、装着筒部材に対する本体の押下時に弁部材を後方へ引き出す如く揺動可能に枢着した梃部材とを備え、ステムに対する本体の押下抗力がステム自体の押下抗力より小であることを特徴とするものである。
【先行技術文献】
【特許文献】
【０００４】
【特許文献１】特開２００２−３２６０４４号公報
【発明の概要】
【発明が解決しようとする課題】
【０００５】
上記押下ヘッドを使用したポンプは優れたバックサクション機能を備えて液切れが良く、吐出口の密閉性に優れ、しかもヘッドの押し下げを容易に行えるという優れた特徴を備えたものである。
【０００６】
本発明では、この様な押下ヘッドを利用したポンプであって、更に優れたバックサクション機能を発揮することができ、しかも、シリンダ内の液の容器体内への逆流の虞のない優れたポンプを提案する。
【課題を解決するための手段】
【０００７】
第１の手段として、以下の通り構成した。即ち、容器体100 内に垂下して装着され、底部に吸込み弁33を備えたシリンダＢと、シリンダＢに対して上方付勢状態で押し込み可能に装着した作動部材Ｄとを備え、作動部材Ｄは、上方付勢状態で押し込み可能に設けたステムD1に対して上方付勢状態で相対上下動可能に装着し、且つ、押し下げ時に梃部材D7の作用で吐出口81側付勢状態の開閉弁部材D6を移行させて吐出口81を開口する押下ヘッドD5と、ステムD1に対して相対上下動が可能にステムD1外周に装着され、ステムD1の下降時にはステムD1に設けた吐出弁孔41を開放し、ステムD1の上昇時には閉塞する環状ピストンD4とを備えてなり、ステムに対する押下ヘッドの押下効力がステム自体の押下効力より小である如く構成し、下端に一体に設けた圧接弁体32によりシリンダＢ下端の吸込み弁孔22を閉塞する吸込み弁33を構成するとともに、上方に起立した棒部36をステムD1の下端開口よりステムD1内下部に摺動可能に突出し、ステムD1の上昇時にステムD1内の容積を増大し、ステムD1の下降時にステムD1内の容積を減少する吸込み弁部材Ｃを設けた。
【０００８】
第２の手段として、以下の通り構成した。即ち、前記第１の手段に於いて、作動部材Ｄを容器体100 に装着する装着キャップＡに案内筒12を起立し、縦方向の案内凹溝13及び案内凹溝13上端から横方向に延設した係止用凹溝14とを案内筒12に凹設し、押下ヘッドD5から突設した突部82を案内凹溝13に嵌合することで上下動が可能に、係止横溝14に嵌合することで押下を不能に構成した。
【発明の効果】
【０００９】
本発明では、上方付勢状態で押し込み可能に設けたステムD1に対して上方付勢状態で相対上下動可能に装着し、且つ、押し下げ時に梃部材D7の作用で吐出口81側付勢状態の開閉弁部材D6を移行させて吐出口81を開口する押下ヘッドD5を備え、ステムに対する押下ヘッドの押下効力がステム自体の押下効力より小である如く構成し、また、ステムD1に対して相対上下動が可能にステムD1外周に装着され、ステムD1の下降時にはステムD1に設けた吐出弁孔41を開放し、ステムD1の上昇時には閉塞する環状ピストンD4とを備え、更に、上方に起立した棒部36をステムD1の下端開口よりステムD1内下部に摺動可能に突出し、ステムD1の上昇時にステムD1内の容積を増大し、ステムD1の下降時にステムD1内の容積を減少する吸込み弁部材Ｃを設けているため、従来品と比べても更なる強力なバックサクション機能を確実に発揮することができ、特に、下端に一体に設けた圧接弁体32によりシリンダＢの下端の吸込み弁孔22を閉塞する吸込み弁33を構成しているので、作動部材Ｄ上昇時に容器体100 内への逆流が生じる虞がないという特有の効果を発揮する。
【００１０】
作動部材Ｄを容器体100 に装着する装着キャップＡに案内筒12を起立し、縦方向の案内凹溝13及び案内凹溝13上端から横方向に延設した係止用凹溝14とを案内筒12に凹設し、押下ヘッドD5から突設した突部82を案内凹溝13に嵌合することで上下動が可能に、係止横溝14に嵌合することで押下を不能に構成した場合には、不使用時には押下ヘッドD5を回動させてその突部82を係止横溝14部位に回動させておけば不用意な押し下げを防止でき、また、その切換えも極めて簡単であるという利点がある。
【図面の簡単な説明】
【００１１】
【図１】ポンプの縦断面図である。（実施例１）
【図２】吸込み弁部材の平面図である。（実施例１）
【図３】吸込み弁部材の一部切欠平面図である。（実施例１）
【図４】ポンプの平面図である。（実施例１）
【発明を実施するための形態】
【００１２】
以下、本発明の形態を図面を参照して説明する。
【００１３】
図１乃至図４は容器体100 に装着したポンプ１の一例を示す。容器体100 は胴部101 より肩部102 を介して口頸部103 を起立している。
【００１４】
ポンプ１は、装着キャップＡと、シリンダＢと、吸込み弁部材Ｃと、作動部材Ｄとを備えている。
【００１５】
装着キャップＡは、口頸部103 外周に螺着した螺筒10を頂板11の下面より垂設し、頂板11の外周上面より案内筒12を起立している。案内筒12の内面には一対の案内凹溝13を縦設し、各案内凹溝13の上端部より案内筒12の周面に沿って側方へ、それぞれ係止用凹溝14を延設している。また、頂板11の内周縁に、上下に延びる係合筒部15を周設している。
【００１６】
シリンダＢは上下端を開口した筒状をなし、外周上端より外方へ延設したフランジ20を、係合筒部15と螺筒10との間に嵌合して装着キャップＡに固定している。また、下端部の開口は筒状の吸込み弁座21で囲成された吸込み弁孔22として構成している。また、下面からは吸込み弁孔22と連通するパイプ嵌合筒23を延設している。そして、容器体100 内に挿入垂下させるとともに、パッキン24を介して口頸部103 上にフランジ20を載置し、口頸部103 と装着キャップ頂板11とで挟持固定している。また、パイプ嵌合筒23にはパイプ25の上端を嵌着し、パイプ25の下端は容器体100 内底部に垂下している。
【００１７】
吸込み弁部材Ｃは、シリンダＢの下部外周に嵌着固定した嵌合筒部30を備え、嵌合筒部30の内周には図３に示す如く周方向三本の弾性片31を介して圧接弁体32を延設し、圧接弁体32をシリンダＢの下端の吸込み弁座21上に圧設して吸込み弁33を構成している。この吸込み弁33はシリンダＢ内の負圧化により開弁し、負圧化が解消すると各弾性片31の弾性復元力によりもとの閉弁状態に戻る如く作用する。
【００１８】
また、嵌合筒部30の両側から起立した一対の支持板34の上端間に支持台板35を掛け渡し、支持台板35の中央から上方に棒部36を起立している。棒部36は上部が小径に形成され、この小径部36a が後述するステムD1の下端開口に液密摺動可能な径に形成されている。また、下部の大径部36b 外周には周方向複数のリブ37が突縦設され、後述コイルスプリングの嵌合部位を構成する。
【００１９】
作動部材Ｄは、ステムD1と、連結筒部材D2と、装着筒部材D3と、環状ピストンD4と、押下ヘッドD5とを備えている。
【００２０】
ステムD1は、吸込み弁部材Ｃのリブ37外周に下端部を嵌合させて棒部36の周囲に起立させたコイルスプリングｓの上端に下端部を当接支持させて、常時コイルスプリングｓにより上方へ付勢された上下端開口の筒状をなし、外周下部に環状の吐出弁座40を突設し、吐出弁座40直上の筒壁部分には一対の吐出弁孔41を穿設している。また、ステムD1の上部には連結筒部材D2を介して装着筒部材D3を連結している。連結筒部材D2は下部をステムD1の上部に嵌着させ、嵌着部分の下端部は大径筒部50に形成してステムD1との間に環状ピストンD4の一部を嵌合させる環状空間を形成している。
【００２１】
各吐出弁孔41は対向位置に穿設された縦長なもので、棒部36先端縁のステムD1内最下降位置から、棒部36先端縁のステムD1内最上昇位置までの縦巾を備えている。図１では作動部材Ｄが最上昇位置にあり、即ちステムD1が最上昇位置にあり、この際棒部36の先端縁はステムD1内の最下降位置にある。また、作動部材Ｄを押し下げてステムD1を押し下げれば、棒部36は相対的に上昇してその先端縁は図１の二点鎖線で示す位置にある。従って、各吐出弁孔41は各位置間の縦巾を備えている。
【００２２】
この場合前記規定内で若干の誤差は当然考慮される。また、それ以上の長さも考慮される。また、吐出弁孔41下端縁の下限位置は突出弁座40を設けた位置よりも少なくとも上方でなくてはならず、上端縁の上限位置は上記要件を満たせばそれ以上延ばすことは可能である。更に、吐出弁孔41は対向位置に一対設けた場合に限らず、前記要件を満たせば１カ所であっても３個所以上であっても良い。但しステムの耐久性と、液の流動効率との配分を考慮すれば、対向位置に一対設けた場合がより好ましく採用できる。また、図示例では吐出弁孔41の上端縁を外方へ傾斜上昇する如く構成しているが、内方へ傾斜上昇する如く構成することで、棒部36上方への液の流動性をより円滑に行える。
【００２３】
装着筒部材D3は、連結筒部材D2の内周上部に嵌合させた装着筒60を頂板部61裏面より垂設するとともに、頂板部61中央には装着筒60内と連通する摺動筒62を立設している。更に、頂板部61周縁部にはその上下に亘り案内筒部63を周設している。
【００２４】
環状ピストンD4は、外周筒状部70と内周筒状部71とを連結部72で連結した断面Ｈ形状をなし、外周筒状部70をシリンダＢ内周に液密摺動可能に嵌合させ、内周筒状部71の上部を連結筒部材D2の大径筒部50内周に液密摺動可能に嵌合させている。また、内周筒状部71の下端が吐出弁座40に密接した状態から連結部72上面が連結筒部材D2の大径筒部50の下端面に当接するまでの間を、ステムD1に対して相対上下動が可能に構成し、吐出弁座40とで吐出弁73を形成している。
【００２５】
押下ヘッドD5は、ステムD1に装着筒部材D3を介して押下げ可能に連結したもので、摺動筒62外周に摺動下降可能に嵌合させたシリンダ部80の上方に、先端に吐出口81を開口した弁室Ｒを備え、装着筒部材D3に対して押し下げ可能に設けている。
【００２６】
また、弁室Ｒ内には開閉弁部材D6を吐出口81側へ付勢状態で装着している。開閉弁部材D6は、弁室Ｒ内周に後部外周を摺動可能に嵌合させるとともに、前方付勢状態で吐出口81を閉塞している。また、弁室Ｒ内とシリンダ部80内とは連絡口により連通させ、これにより、シリンダ部80内から連絡口を介して吐出口81に至る液流路を画成している。前方付勢手段としては、弁室Ｒの後壁前面と、開閉弁部材D6の逆スカート状部の分岐部分とに第２コイルスプリングs1を介在させて行っている。更に、開閉弁部材D6の後端部を弁室Ｒの後壁の窓孔より突設し、突出部分に梃部材係合用の環状凹部を凹設している。
【００２７】
更に、押下ヘッドD5内には梃部材D7を設けている。梃部材D7は、開閉弁部材D6後端部に上端を連係させるとともに、下端部を装着筒部材D3の頂板部61上面に当接係止させており、また、装着筒部材D3に対する押下ヘッドD5の押し下げ時に開閉弁部材D6を後方へ引き出す如く揺動可能に枢着している。
【００２８】
図示例に於ける梃部材D7は、上端部を開閉弁部材D6の後端部に連係した垂直板部90下端部より前方へ下る二股の傾斜板部91を延設するとともに、各傾斜板部91の下端部を摺動筒62両側の頂板部61上面に当接係止させている。梃部材D7と開閉弁部材D6との連係は、垂直板部90の上端部中央に設けた切欠部に開閉弁部材D6の上記環状凹部を嵌合させている。
【００２９】
また、屈折部分両側に突設した枢着軸を、それぞれ両側の軸受に回動可能に嵌合させている。そして、第２コイルスプリングs1により前方付勢された開閉弁部材D6により垂直板部90上部の連係部分を常時前方へ付勢させており、押下ヘッドD5の押し下げにより、装着筒部材D3の頂板部61が傾斜板部91を押し上げて梃部材D7を回動させ、第２コイルスプリングs1の前方付勢力に抗して開閉弁部材D6を後方へ引き出す如く構成している。
【００３０】
この様な押下ヘッドD5は、ステムD1に対する押下ヘッドD5の押下抗力がステム自体の押下抗力より小になる様に構成している。この様に構成するために、基本的には装着するポンプのステムを上方付勢させるための弾性材よりも、開閉弁部材D6を前方付勢させるための弾性材の弾発力を小さく選択すれば良く、その他摺動筒とシリンダとの摩擦力，梃部材の揺動時の摩擦力等を考慮してこれらを選択すれば良い。
【００３１】
押下ヘッドD5の外周下部には前記案内筒12の各案内凹溝13に対して上下動可能に嵌合する一対の突部82を突設している。各突部82が案内凹溝13位置にある場合には押下ヘッドD5の押し込みが可能であり、牽いては作動部材Ｄの上下動が可能である。一方、その状態から押下ヘッドD5を回動させて係止用凹溝14上に位置させれば、押下ヘッドD5の押し下げを防止できる。
【００３２】
上記の如く構成したポンプ１は、図１の状態から押下ヘッドD5を押し下げると、最初ステムD1は下がらず、装着筒部材D3に対して押下ヘッドD5が下降する。この際、梃部材D7の下端部が装着筒部材D3の頂板部61上面に押し上げられて枢着軸を中心に回動し、その上端部が後方へ回動して開閉弁部材D6を第２コイルスプリングs1の弾発力に抗して後方へ移行させ、吐出口81が開く。
【００３３】
次いでステムD1が下降し、該ステムD1の下降により環状ピストンD4がステムD1に対して相対上昇して吐出弁73が開き、シリンダＢ内の加圧液が吐出弁孔41を介してステムD1内を通り、摺動筒62内導入され、次いでシリンダ部80内、弁室Ｒ内を通り、吐出口81より吐出される。この際吸込み弁部材Ｃの棒部36はステムD1内にその先端の突出幅を大きく浸入してくる。
【００３４】
次に押下ヘッドD5の押圧を解除すると、最初ステムD1の上方付勢力により押下ヘッドD5が上昇する。この際、例えば押下ヘッドD5上面を押圧した手が離れないうちにステムD1の上昇が行われ、吐出口81は開いたままの状態で行われる。同時に環状ピストンD4がステムD1に対して相対的に下降して吐出弁73が閉じる。また、同時に棒部36の上端部がステムD1に対して相対的に下降するため、ステムD1内容積が増大する。従って、この時点でステムD1内及び弁室Ｒ内は負圧状態となり、バックサクション機能を発揮する。次いで、手を離す余地ができ、第２コイルスプリングs1の弾発力により開閉弁部材D6が前方へ移行して吐出口81を閉塞し、それに伴い梃部材D7により押下ヘッドD5を装着筒部材D3に対して上方へ押上げ、装着筒部材D3と押下ヘッドD5との関係が元の状態に戻る。
【００３５】
作動部材Ｄの上昇に伴いシリンダＢ内は負圧化し、それに伴って吸込み弁33が開いてパイプ25を介して容器体100 内の液がシリンダＢ内に導入される。
【符号の説明】
【００３６】
１…ポンプ
Ａ…装着キャップ
10…螺筒，11…頂板，12…案内筒，13…案内凹溝，14…係止用凹溝，15…係合筒部    Ｂ…シリンダ
20…フランジ，21…吸込み弁座，22…吸込み弁孔，23…パイプ嵌合筒，
24…パッキン，25…パイプ
Ｃ…吸込み弁部材
30…嵌合筒部，31…弾性片，32…圧接弁体，33…吸込み弁，34…支持板，
35…支持台板，36…棒部，36a …小径部，36b …大径部，37…リブ
Ｄ…作動部材
D1…ステム
40…吐出弁座，41…吐出弁孔
D2…連結筒部材
50…大径筒部
D3…装着筒部材
60…装着筒，61…頂板部，62…摺動筒，63…案内筒部
D4…環状ピストン
70…外周筒状部，71…内周筒状部，72…連結部，73…吐出弁
D5…押下ヘッド（Ｒ：弁室）
80…シリンダ部，81…吐出口，82…突部
D6…開閉弁部材
D7…梃部材
90…垂直板部，91…傾斜板部
ｓ…コイルスプリング
s1…第２コイルスプリング
100 …容器体
101…胴部，102 …肩部，103 …口頸部
【図１】
2010172860.tif 000003
【図２】
2010172860.tif 000004
【図３】
2010172860.tif 000005
【図４】
2010172860.tif 000006